(57)【特許請求の範囲】
【請求項１】
第１の範囲に属する電圧値の第１の駆動電圧が印加されて駆動する機能部と、
第２の範囲に属する電圧値の第２の駆動電圧が印加されて駆動すると共に前記機能部を制御する制御部と、
外部電源により印加電圧が印加され、前記印加電圧の電圧値が第３の範囲である場合に前記第１の範囲に属する電圧値の前記第１の駆動電圧を前記機能部に印加する第１の駆動電圧発生部と、
前記外部電源により前記印加電圧が印加され、前記印加電圧の電圧値が第４の範囲である場合に前記第２の範囲に属する電圧値の前記第２の駆動電圧を前記制御部に印加する第２の駆動電圧発生部と、
を備え、
前記第３の範囲の下限値は、前記第４の範囲の下限値より高く、
前記制御部は、前記外部電源により印加される前記印加電圧の電圧値が前記第３の範囲に属するか否かを判定し、前記印加電圧の電圧値が前記第３の範囲に属していないと判定した場合には、前記機能部の駆動を初期化する初期化処理を実行する、
ことを特徴とする制御装置。
【請求項２】
第１の範囲に属する電圧値の第１の駆動電圧が印加されて駆動する機能部と、
第２の範囲に属する電圧値の第２の駆動電圧が印加されて駆動すると共に前記機能部を制御する制御部と、
外部電源により印加電圧が印加され、前記印加電圧の電圧値が第３の範囲である場合に前記第１の範囲に属する電圧値の前記第１の駆動電圧を前記機能部に印加する第１の駆動電圧発生部と、
前記外部電源により前記印加電圧が印加され、前記印加電圧の電圧値が第４の範囲である場合に前記第２の範囲に属する電圧値の前記第２の駆動電圧を前記制御部に印加する第２の駆動電圧発生部と、
前記外部電源により印加される前記印加電圧を検出し、検出した前記印加電圧の電圧値が前記第３の範囲に属するか否かを判定し、判定結果を前記制御部に出力する判定部と、
を備え、
前記第３の範囲の下限値は、前記第４の範囲の下限値より高く、
前記制御部は、前記判定部から、前記印加電圧の電圧値が前記第３の範囲に属しないと判定した場合における前記判定結果を受け付けた場合には、前記機能部の駆動を初期化する初期化処理を実行する、
ことを特徴とする制御装置。
【発明の詳細な説明】
【技術分野】
【０００１】
本発明は、制御装置に関する。
【背景技術】
【０００２】
一般的に、車両のエンジンを始動する際には、クランキングが行われる（例えば、特許文献１参照。）。クランキングとは、エンジン制御装置に搭載されたマイクロコンピュータが、始動スイッチのオン入力を検知して、駆動回路にスタータリレーをオンさせて、バッテリからの電圧をスタータへ供給することである。これにより、スタータが駆動して、車両のエンジンが始動する。
【０００３】
クランキングにより、エンジン始動時には、バッテリからスタータに電圧が供給されるため、バッテリに接続されたスタータ以外の機器、例えば車載器等に供給される電圧が一時的に急激に低下する。即ち、エンジン始動時にはバッテリからスタータに電圧が供給されるため、スタータに電圧を供給する時点において、アクセサリ電源スイッチのオンにより既にバッテリから電圧が供給されている機器に対して供給される電圧が急激に低下する。
【先行技術文献】
【特許文献】
【０００４】
【特許文献１】特開２００９−８３６５４号公報
【発明の概要】
【発明が解決しようとする課題】
【０００５】
車両に搭載されて用いられる車載器として、例えばナビゲーション機能等の各種機能を有するものがある。これら各種機能を実現する各機能部の中には、バッテリから電圧が供給されて駆動されるもの（例えば、液晶表示部。）がある。このようにバッテリから電圧が供給されて駆動される当該機能部は、上述した理由によりバッテリから供給される電圧がエンジン始動時に低下した際に、駆動を停止する虞がある。従来の車載器においては、一旦駆動を停止した機能部は、バッテリからスタータへの電圧の供給が停止され、バッテリから供給される電圧が通常の電圧値に復帰しても、正常状態に復帰できなかった。
【０００６】
本発明は、上述した事情に鑑みてなされたものであり、機能部に供給される電圧値に異常が生じた場合に、機能部を正常状態に復帰させることが可能な制御装置を提供することを目的としている。
【課題を解決するための手段】
【０００７】
前述した目的を達成するために、本発明に係る制御装置は、下記（１）〜（２）を特徴としている。
（１）  第１の範囲に属する電圧値の第１の駆動電圧が印加されて駆動する機能部と、
第２の範囲に属する電圧値の第２の駆動電圧が印加されて駆動すると共に前記機能部を制御する制御部と、
外部電源により印加電圧が印加され、前記印加電圧の電圧値が第３の範囲である場合に前記第１の範囲に属する電圧値の前記第１の駆動電圧を前記機能部に印加する第１の駆動電圧発生部と、
前記外部電源により前記印加電圧が印加され、前記印加電圧の電圧値が第４の範囲である場合に前記第２の範囲に属する電圧値の前記第２の駆動電圧を前記制御部に印加する第２の駆動電圧発生部と、
を備え、
前記第３の範囲の下限値は、前記第４の範囲の下限値より高く、
前記制御部は、前記外部電源により印加される前記印加電圧の電圧値が前記第３の範囲に属するか否かを判定し、前記印加電圧の電圧値が前記第３の範囲に属していないと判定した場合には、前記機能部の駆動を初期化する初期化処理を実行する、
こと。
（２）  第１の範囲に属する電圧値の第１の駆動電圧が印加されて駆動する機能部と、
第２の範囲に属する電圧値の第２の駆動電圧が印加されて駆動すると共に前記機能部を制御する制御部と、
外部電源により印加電圧が印加され、前記印加電圧の電圧値が第３の範囲である場合に前記第１の範囲に属する電圧値の前記第１の駆動電圧を前記機能部に印加する第１の駆動電圧発生部と、
前記外部電源により前記印加電圧が印加され、前記印加電圧の電圧値が第４の範囲である場合に前記第２の範囲に属する電圧値の前記第２の駆動電圧を前記制御部に印加する第２の駆動電圧発生部と、
前記外部電源により印加される前記印加電圧を検出し、検出した前記印加電圧の電圧値が前記第３の範囲に属するか否かを判定し、判定結果を前記制御部に出力する判定部と、
を備え、
前記第３の範囲の下限値は、前記第４の範囲の下限値より高く、
前記制御部は、前記判定部から、前記印加電圧の電圧値が前記第３の範囲に属しないと判定した場合における前記判定結果を受け付けた場合には、前記機能部の駆動を初期化する初期化処理を実行する、
こと。
【０００８】
上記（１）の構成の制御装置では、外部電源により印加される印加電圧の電圧値が第３の範囲に属していない、と制御部が判定した場合には、機能部の駆動を初期化する初期化処理が実行される。これにより、機能部に印加される第１の駆動電圧の電圧値が第１の範囲に属していない場合には、機能部の駆動が初期化される。
上記（２）の構成の制御装置では、外部電源により印加される印加電圧の電圧値が第３の範囲に属していない、と判定部が判定した場合には、機能部の駆動を初期化する初期化処理が実行される。これにより、機能部に印加される第１の駆動電圧の電圧値が第１の範囲に属していない場合には、機能部の駆動が初期化される。
【発明の効果】
【０００９】
本発明の制御装置によれば、機能部に供給される電圧値に異常が生じた場合に、機能部を正常状態に復帰させることが可能な制御装置を提供できる。
【００１０】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、第１の実施形態に係る表示装置１００のハードウェアの構成例を示したブロック図である。
【図２】図２は、図１に示す表示装置１００の各部における電圧値及びリセット信号の変化の一例を示すタイムチャートである。
【図３】図３は、比較例として示す従来の表示装置２００のハードウェアの構成例を示したブロック図である。
【図４】図４は、図３に示す従来の表示装置２００の各部における電圧値及びリセット信号の変化の一例を示すタイムチャートである。
【図５】図５は、第２の実施形態に係る表示装置３００のハードウェアの構成例を示したブロック図である。
【図６】図６は、第３の実施形態に係る表示装置４００のハードウェアの構成例を示したブロック図である。
【発明を実施するための形態】
【００１２】
本発明に係る制御装置を含んで実現される表示装置に関する具体的な実施形態について各図を参照しながら以下に説明する。
【００１３】
（第１の実施形態）
第１の実施形態に係る表示装置１００は、例えば自動車等の車両に搭載されて、各種情報を使用者に呈示する情報呈示機能を有するものである。
【００１４】
図１は、第１の実施形態に係る表示装置１００のハードウェアの構成例を示したブロック図である。
図１に示すように、表示装置１００は、マイクロコンピュータ（ＣＰＵ：Central Processing Unit）１０１、グラフィックディスプレーコントローラ（ＧＤＣ：Graphic Display Controller）１０２、液晶表示器（ＴＦＴ−ＬＣＤ：Thin Film Transistor Liquid Crystal Display）１０３、電源ＩＣ（Integrated Circuit）１０４、インタフェース（Ｉ／Ｏ）１０５、インタフェース１０６、及び電源モジュール１０７を備えている。以下では、まず、これら各構成について説明する。
【００１５】
制御部としてのＣＰＵ１０１は、予め用意されたプログラムを実行し、表示装置１００の機能を実現するために必要な様々な処理を行う。例えば、液晶表示器１０３の表示内容を決定するための命令をＧＤＣ１０２に出力して、液晶表示器１０３の表示内容を制御する。また、ＣＰＵ１０１は、オン信号をポートＰ２より電源モジュール１０７に出力して、電源モジュール１０７に、後述する駆動電圧Ｖｃｃ２をＧＤＣ１０２に対して印加させる。また、ＣＰＵ１０１は、オン信号をポートＰ３、ポートＰ４それぞれより電源モジュール１０７に出力して、電源モジュール１０７に、後述する駆動電圧Ｖｃｃ３、駆動電圧Ｖｃｃ４をＧＤＣ１０２に対して印加させる。また、ＣＰＵ１０１は、ＧＤＣ１０２が保持しているデータを初期値にリセットするためのリセット信号ＲＳＴ２を、ポートＰ０よりＧＤＣ１０２に出力し、ＧＤＣ１０２にデータのリセット処理を実行させる。より具体的には、ＣＰＵ１０１は、リセット信号ＲＳＴ２としてハイ信号及びロー信号を切り替えてＧＤＣ１０２に出力し、ロー信号からハイ信号への切り替え時点をトリガとして、ＧＤＣ１０２にリセット処理を実行させる。ＣＰＵ１０１は、後述する電源ＩＣ１０４から駆動電圧Ｖｃｃ１が印加されて駆動する。第１の実施形態におけるＣＰＵ１０１は、定格電圧が直流３Ｖであり、印加される駆動電圧Ｖｃｃ１の電圧値が直流２．９Ｖ以上３．１Ｖ以下の範囲（第２の範囲）である場合に駆動する。尚、以下、本明細書中において言及する各電圧は、交流電圧である旨を明記する場合を除き、全て直流電圧である。ＣＰＵ１０１は、電源ＩＣ１０４からリセット信号ＲＳＴ１を受け付ける。ＣＰＵ１０１は、受け付けたリセット信号ＲＳＴ１がロー信号からハイ信号に切り替わると、ＣＰＵ１０１を含む表示装置１００全体の駆動を初期化する。また、ＣＰＵ１０１は、イグニションスイッチのオンオフ信号を、インタフェース１０５を介してポートＰ５より受け付ける。また、ＣＰＵ１０２は、車両上の通信ネットワーク（ＣＡＮ：Controller Area Network）から、車両に関する各種情報を含むＣＡＮ信号を、インタフェース１０６を介して受け付ける。ＣＰＵ１０１は、当該車両関する各種情報を利用して液晶表示器１０３の表示内容を決定する。
【００１６】
ＣＰＵ１０１は、ＧＤＣ１０２に印加される駆動電圧Ｖｃｃ２の電圧値を、ポートＰ１より受け付ける。ＣＰＵ１０１は、ポートＰ１より受け付けた駆動電圧Ｖｃｃ２に基づいて、電源モジュール１０７からＧＤＣ１０２に印加される駆動電圧Ｖｃｃ２の電圧値が第１の範囲に属するか否かを判定し、駆動電圧Ｖｃｃ２の電圧値が該第１の範囲に属していないと判定した場合には、ＧＤＣ１０２の駆動を初期化するための初期化処理を実行する。この初期化処理の詳細については後述する。
【００１７】
機能部としてのＧＤＣ１０２は、ＣＰＵ１０１から入力される様々な命令に従って、使用者に呈示する各種情報を表すグラフィック要素を液晶表示器１０３の画面上に表示する。即ち、ＧＤＣ１０２は、情報呈示機能を発揮するための機能部である。ＧＤＣ１０２は、後述する電源モジュール１０７から駆動電圧Ｖｃｃ２、駆動電圧Ｖｃｃ３、駆動電圧Ｖｃｃ４、がこの順に印加されて駆動する。第１の実施形態におけるＧＤＣ１０２は、定格電圧が５Ｖであり、印加される駆動電圧Ｖｃｃ２、駆動電圧Ｖｃｃ３、駆動電圧Ｖｃｃ４の電圧値が４．９Ｖ以上５．１Ｖ以下（第１の範囲）である場合に駆動する。ＧＤＣ１０２は、ＣＰＵ１０１からリセット信号ＲＳＴ２を受け付ける。ＧＤＣ１０２は、受け付けたリセット信号ＲＳＴ２がロー信号からハイ信号に切り替わると保持しているデータを初期値にリセットする。即ち、ＧＤＣ１０２は、電圧値が第１の範囲に属する駆動電圧Ｖｃｃ２、駆動電圧Ｖｃｃ３、駆動電圧Ｖｃｃ４がこの順に印加された後、リセット信号ＲＳＴ２がロー信号からハイ信号に切り替わったことを検知すると、データのリセット処理を実行して、駆動を開始する。換言すると、電源オンシーケンスとして予め定められた当該順序に従って、電圧値が第１の範囲に属する駆動電圧Ｖｃｃ２、駆動電圧Ｖｃｃ３、駆動電圧Ｖｃｃ４が印加され、受け付けているリセット信号ＲＳＴ２がロー信号からハイ信号に切り替えられた場合にのみ、ＧＤＣ１０２は正常に駆動を開始する。
【００１８】
液晶表示器１０３は、液晶デバイスにより構成された多数の微小表示セルをＸ方向およびＹ方向に並べて配置されたカラーの表示画面を有している。多数の微小表示セルの表示状態をセル毎に個別に制御することにより、２次元表示画面上に図形、文字、画像等の所望の情報をグラフィック表示することができる。
【００１９】
電源ＩＣ１０４は、外部電源である車両に搭載されたバッテリ（図示せず。）から印加電圧＋Ｂが印加されて駆動し、ＣＰＵ１０１を駆動させるための駆動電圧Ｖｃｃ１をＣＰＵ１０１に印加する。第１の実施形態における電源ＩＣ１０４は、印加される印加電圧＋Ｂの電圧値が５．５Ｖ以上４０Ｖ以下の範囲（第４の範囲）である場合に正常に動作して、ＣＰＵ１０１を駆動させる、第２の範囲に属する電圧値（例えば、３Ｖ。）の駆動電圧Ｖｃｃ１をＣＰＵ１０１に印加する。但し、バッテリから印加される印加電圧＋Ｂの電圧値は、通常時は１２Ｖであるが、前述したクランキングの影響により、エンジン始動時（低下時）には、例えば７Ｖまで低下する虞がある。このように印加電圧＋Ｂの電圧が低下したとき、当該低下時における印加電圧＋Ｂの電圧値（７Ｖ）が上記第４の範囲に属するので、電源ＩＣ１０４は、バッテリから印加される印加電圧＋Ｂの電圧値が７Ｖまで低下した場合であっても、正常に動作する。即ち、電源ＩＣ１０４は、バッテリから印加される印加電圧＋Ｂの電圧値が７Ｖまで低下した場合であっても、ＣＰＵ１０１を駆動させる、第２の範囲に属する電圧値の駆動電圧Ｖｃｃ１をＣＰＵ１０１に印加する。また、電源ＩＣ１０４は、ＣＰＵ１０１の駆動を初期化するリセット信号ＲＳＴ１をＣＰＵ１０１に出力する。より具体的には、電源ＩＣ１０４は、リセット信号ＲＳＴ１としてハイ信号及びロー信号を切り替えてＣＰＵ１０１に出力する。
【００２０】
電源モジュール１０７は、電源ＩＣ１０４と共通の外部電源であるバッテリから印加電圧＋Ｂが印加されて駆動する。電源モジュール１０７は、ＣＰＵ１０１からポートＰ２を介してオン信号を受け付けている場合には、ＧＤＣ１０２を駆動させるための駆動電圧Ｖｃｃ２をＧＤＣ１０２に印加する。第１の実施形態における電源モジュール１０７は、印加される印加電圧＋Ｂの電圧値が９．０Ｖ以上１６Ｖ以下の範囲（第３の範囲）である場合に正常に動作して、ＧＤＣ１０２を駆動させる、第１の範囲に属する電圧値（例えば、５Ｖ。）の駆動電圧Ｖｃｃ２をＧＤＣ１０２に印加する。したがって、低下時における印加電圧＋Ｂの電圧値（７Ｖ）が上記第３の範囲に属しないので、電源モジュール１０７は、バッテリから印加される印加電圧＋Ｂの電圧値が７Ｖまで低下した場合には、正常に動作しない。即ち、電源モジュール１０７は、バッテリから印加される印加電圧＋Ｂの電圧値が７Ｖまで低下した場合には、第１の範囲に属しない、例えば電圧値が０Ｖの駆動電圧Ｖｃｃ２をＧＤＣ１０２に印加する。また、電源モジュール１０７は、ＣＰＵ１０７からポートＰ３、ポートＰ４を介してオン信号を受け付けている場合には、該オン信号に対応したＧＤＣ１０２を駆動させるための駆動電圧Ｖｃｃ３、駆動電圧Ｖｃｃ４をＧＤＣ１０２に印加する。第１の実施形態における電源モジュール１０７は、バッテリから印加電圧＋Ｂが印加されている場合には、ＧＤＣ１０２を駆動させる、第１の範囲に属する電圧値（例えば、５Ｖ。）の駆動電圧Ｖｃｃ３、駆動電圧Ｖｃｃ４をＧＤＣ１０２に印加する。
【００２１】
次に、表示装置１００の具体的な動作を、図２を参照して説明する。
図２は、図１に示す表示装置１００の各部における電圧値及びリセット信号の変化の一例を示すタイムチャートである。より具体的には、図２は、上から順に、バッテリによる印加電圧＋Ｂ、ＣＰＵ１０１に印加される駆動電圧Ｖｃｃ１、ＣＰＵ１０１に入力されるリセット信号ＲＳＴ１、ＧＤＣ１０２に印加される駆動電圧Ｖｃｃ２、ＧＤＣ１０２に印加される駆動電圧Ｖｃｃ３、ＧＤＣ１０２に印加される駆動電圧Ｖｃｃ４、ＧＤＣ１０２に入力されるリセット信号ＲＳＴ２、ＣＰＵ１０１がポートＰ１より受け付ける駆動電圧Ｖｃｃ２、の変化の一例を時系列データとして示している。符号ｔ１はＣＰＵ１０１が駆動を開始した時刻ｔ１を示しており、符号ｔ２はＧＤＣ１０２が駆動を開始した時刻ｔ２を示しており、符号ｔ３は印加電圧＋Ｂの電圧値が通常時における１２Ｖから低下時における７Ｖに低下した時刻ｔ３を示しており、符号ｔ４は印加電圧＋Ｂの電圧値が低下時における７Ｖから通常時における１２Ｖに復帰した時刻ｔ４を示している。
【００２２】
はじめに、アクセサリ電源スイッチがオンされた後、ＣＰＵ１０１及びＧＤＣ１０２が駆動するまでの、表示装置１００の各部における電圧値及びリセット信号の変化について説明する。
【００２３】
使用者によりアクセサリ電源スイッチがオンされると、電源ＩＣ１０４及び電源モジュール１０７に、電圧値が１２Ｖの印加電圧＋Ｂがバッテリから印加される。第４の範囲に属する電圧値である１２Ｖの印加電圧＋Ｂが印加された電源ＩＣ１０４は、第２の範囲に属する電圧値である３Ｖの駆動電圧Ｖｃｃ１をＣＰＵ１０１に印加する。次いで、電源ＩＣ１０４は、ＣＰＵ１０１に出力するリセット信号ＲＳＴ１を、ロー信号からハイ信号に切り替える。リセット信号ＲＳＴ１のロー信号からハイ信号への切り替えを検知したＣＰＵ１０１は、ＣＰＵ１０１の初期化を実行して駆動を開始する（時刻ｔ１）。
【００２４】
駆動を開始したＣＰＵ１０１は、オン信号をポートＰ２、ポートＰ３、ポートＰ４から、この順に電源モジュール１０７に出力する。まず、ポートＰ２からオン信号を受け付けた電源モジュール１０７は、第１の範囲に属する電圧値である５Ｖの駆動電圧Ｖｃｃ２をＧＤＣ１０２に印加する。その後、ポートＰ３からオン信号を受け付けた電源モジュール１０７は、第１の範囲に属する電圧値である５Ｖの駆動電圧Ｖｃｃ３をＧＤＣ１０２に印加する。更にその後、ポートＰ４からオン信号を受け付けた電源モジュール１０７は、第１の範囲に属する電圧値である５Ｖの駆動電圧Ｖｃｃ４をＧＤＣ１０２に印加する。次いで、ＣＰＵ１０１は、ＧＤＣ１０２に出力するリセット信号ＲＳＴ２を、ロー信号からハイ信号に切り替える。リセット信号ＲＳＴ２のロー信号からハイ信号への切り替えを検知したＧＤＣ１０２は、データのリセット処理を実行して駆動を開始する（時刻ｔ２）。このように、電源オンシーケンスに適合した順序で電圧値が第１の範囲に属する駆動電圧Ｖｃｃ２、駆動電圧Ｖｃｃ３、駆動電圧Ｖｃｃ４が印加され、受け付けているリセット信号ＲＳＴ２がロー信号からハイ信号に切り替えられたＧＤＣ１０２は、駆動を開始する。
【００２５】
以上説明したように表示装置１００の各部における電圧値及びリセット信号が変化することにより、ＣＰＵ１０１及びＧＤＣ１０２が駆動する。
次に、ＣＰＵ１０１及びＧＤＣ１０２が駆動している状態でイグニションスイッチがオンされて、バッテリの印加電圧＋Ｂの電圧値が一時的に低下し、その後、バッテリの印加電圧＋Ｂが通常の電圧値に復帰した場合における、表示装置１００の各部における電圧値及びリセット信号の変化について説明する。
【００２６】
使用者によりイグニションスイッチがオンされると、エンジンが始動する。上述したようにエンジン始動時には、バッテリからスタータに電圧が供給されることにより、バッテリの印加電圧＋Ｂの電圧値が通常時における１２Ｖから低下時における７Ｖに急激に低下する虞がある。バッテリの印加電圧＋Ｂが低下した場合には、電源モジュール１０７からＧＤＣ１０２に印加される駆動電圧Ｖｃｃ２の電圧値が、第１の範囲に属する電圧値である５Ｖから、第１の範囲に属しない電圧値である０Ｖに一時的に低下する。印加される駆動電圧Ｖｃｃ２の電圧値が０Ｖに低下したＧＤＣ１０２は、駆動を停止する（時刻ｔ３）。尚、このとき、第４の範囲に属する電圧値である７Ｖの印加電圧＋Ｂがバッテリから印加されている電源ＩＣ１０４は、正常に動作し続ける。また、第２の範囲に属する電圧値である３Ｖの駆動電圧Ｖｃｃ１が印加されているＣＰＵ１０１も、正常に動作し続ける。つまり、エンジン始動時においてバッテリの印加電圧＋Ｂが低下した場合には、第１の範囲に属する駆動電圧Ｖｃｃ２をＧＤＣ１０２に印加するために要する正常な印加電圧＋Ｂ（電圧値が第３の範囲に属する印加電圧＋Ｂ）が電源モジュール１０７に印加されておらず、且つ、第２の範囲に属する駆動電圧Ｖｃｃ１をＣＰＵ１０１に印加するために要する正常な印加電圧＋Ｂ（電圧値が第４の範囲に属する印加電圧＋Ｂ）が電源ＩＣ１０４に印加されている。
【００２７】
ＧＤＣ１０２に印加される駆動電圧Ｖｃｃ２の電圧値が５Ｖから０Ｖに低下すると、ＣＰＵ１０１がポートＰ１より受け付ける駆動電圧Ｖｃｃ２の電圧値も、５Ｖから０Ｖに低下する（時刻ｔ３）。このとき、ＣＰＵ１０１は、駆動電圧Ｖｃｃ２の電圧値が第１の範囲に属していないと判定する。駆動電圧Ｖｃｃ２の電圧値が第１の範囲に属していないと判定したＣＰＵ１０１は、以下に説明するＧＤＣ１０２の駆動を初期化する初期化処理を実行する。
【００２８】
初期化処理においては、まず、ＣＰＵ１０１は、電源モジュール１０７からＧＤＣ１０２に印加される駆動電圧Ｖｃｃ２の電圧値が第１の範囲に属していないと判定すると、ＧＤＣ１０２に出力するリセット信号ＲＳＴ２をハイ信号からロー信号に切り替える。次いで、ＣＰＵ１０１は、ポートＰ４、ポートＰ３、ポートＰ２を介する電源モジュール１０７へのオン信号の出力をこの順に停止して、電源モジュール１０７からＧＤＣ１０２に印加される駆動電圧Ｖｃｃ４、駆動電圧Ｖｃｃ３、駆動電圧Ｖｃｃ２の電圧値をこの順に５Ｖから０Ｖまで低下させる。このように、電源オンシーケンスとは逆順の電源オフシーケンスに適合した順序で、リセット信号ＲＳＴ２がハイ信号からロー信号に切り替えられ、印加される駆動電圧Ｖｃｃ４、駆動電圧Ｖｃｃ３、駆動電圧Ｖｃｃ２の電圧値が低下する。
【００２９】
その後、ＣＰＵ１０１は、ポートＰ２、ポートＰ３、ポートＰ４を介する電源モジュール１０７へのオン信号の出力をこの順に再開して、電源モジュール１０７からＧＤＣ１０２に印加される駆動電圧Ｖｃｃ２、駆動電圧Ｖｃｃ３、駆動電圧Ｖｃｃ４の電圧値をこの順に０Ｖから５Ｖまで増加させる。そして、ＣＰＵ１０１は、ＧＤＣ１０２に出力するリセット信号ＲＳＴ２をロー信号からハイ信号に切り替える。リセット信号ＲＳＴ２がロー信号からハイ信号に切り替わったことを検知したＧＤＣ１０２は、データのリセット処理を実行して、駆動を開始する。このように、電源オンシーケンスに適合した順序で電圧値が第１の範囲に属する駆動電圧Ｖｃｃ２、駆動電圧Ｖｃｃ３、駆動電圧Ｖｃｃ４が印加され、受け付けているリセット信号ＲＳＴ２がロー信号からハイ信号に切り替えられたＧＤＣ１０２は、正常に駆動を開始する。
【００３０】
エンジン始動時においてバッテリの印加電圧＋Ｂが低下した場合、エンジン始動後、バッテリからスタータへの電圧の供給が停止されると、バッテリの印加電圧＋Ｂの電圧値が低下時における７Ｖから通常時における１２Ｖに復帰する（時刻ｔ４）。これにより、電源モジュール１０７からＧＤＣ１０２に印加される駆動電圧Ｖｃｃ２の電圧値が、０Ｖから５Ｖに増加する。このバッテリの印加電圧＋Ｂの低下から復帰までの時間、即ち時刻ｔ３から時刻ｔ４までの時間、は一般的に非常に短いため、上述したように時刻ｔ３においてＣＰＵ１０１が初期化処理の実行を開始した後、当該初期化処理のうちの電源オフシーケンスにおける処理が終了するまでの間に、駆動電圧Ｖｃｃ２の電圧値は５Ｖに増加している。このため、ＣＰＵ１０１は、電源オフシーケンスにおける処理を実行した後、初期化処理のうちの電源オンシーケンスにおける処理を実行して、ＧＤＣ１０２に正常に駆動を開始させることができる。尚、バッテリの印加電圧＋Ｂの低下から復帰までの時間が長くなる虞がある場合には、ＣＰＵ１０１は、バッテリの印加電圧＋Ｂが低下して復帰したと判定した後に、初期化処理における電源オフシーケンスの実行を開始する構成としてもよい。
【００３１】
以上説明したように表示装置１００の各部における電圧値及びリセット信号が変化することにより、バッテリから供給される駆動電圧＋Ｂの電圧値が低下して一旦駆動を停止した場合であっても、ＧＤＣ１０２は、バッテリから供給される駆動電圧＋Ｂが通常の電圧値に復帰すると、正常に駆動を開始する。
【００３２】
本発明の制御装置を含む第１の実施形態に係る表示装置１００の作用及び効果について説明する。
【００３３】
（比較例）
第１の実施形態に係る表示装置１００の作用及び効果を説明するために、まず、比較例として、ＣＰＵ１０１がＧＤＣ１０２に印加される駆動電圧Ｖｃｃ２の電圧値をポートＰ１より受け付けない場合の表示装置１００について説明する。
【００３４】
図３は、比較例として示す従来の表示装置２００のハードウェアの構成例を示したブロック図である。図３に示す従来の表示装置２００は、ＣＰＵ１０１がＧＤＣ１０２に印加される駆動電圧Ｖｃｃ２の電圧値をポートＰ１より受け付けていない点以外は第１の実施形態に係る表示装置１００と同一の構成を有するので、以下、当該同一の構成については第１の実施形態に係る表示装置１００と同一の符号を付し、各構成についての説明を省略する。
【００３５】
従来の表示装置２００の具体的な動作を、図４を参照して説明する。図４は、図３に示す従来の表示装置２００の各部における電圧値及びリセット信号の変化の一例を示すタイムチャートである。
【００３６】
アクセサリ電源スイッチがオンされた後、ＣＰＵ１０１及びＧＤＣ１０２が駆動するまで、即ち時刻ｔ２までの、表示装置２００の各部における電圧値及びリセット信号の変化は、第１の実施形態に係る表示装置１００の場合と同一であるので説明を省略する。
【００３７】
次に、ＣＰＵ１０１及びＧＤＣ１０２が駆動している状態で、バッテリからスタータに電圧が供給されることにより、バッテリの印加電圧＋Ｂの電圧値が低下し、その後、バッテリの印加電圧＋Ｂが通常の電圧値に復帰した場合における、表示装置２００の各部における電圧値及びリセット信号の変化について説明する。
【００３８】
上述したようにエンジン始動時には、バッテリからスタータに電圧が供給されることにより、バッテリの印加電圧＋Ｂの電圧値が通常時における１２Ｖから低下時における７Ｖに急激に低下する虞がある。バッテリの印加電圧＋Ｂが低下した場合には、電源モジュール１０７からＧＤＣ１０２に印加される駆動電圧Ｖｃｃ２の電圧値が、第１の範囲に属する電圧値である５Ｖから、第１の範囲に属しない電圧値である０Ｖに低下する（時刻ｔ３）。印加される駆動電圧Ｖｃｃ２の電圧値が０Ｖに低下したＧＤＣ１０２は、駆動を停止する（時刻ｔ３）。尚、このとき、第４の範囲に属する電圧値である７Ｖの印加電圧＋Ｂがバッテリから印加されている電源ＩＣ１０４は、正常に動作し続ける。また、第２の範囲に属する電圧値である３Ｖの駆動電圧Ｖｃｃ１が印加されているＣＰＵ１０１も、正常に動作し続ける。
【００３９】
エンジン始動時においてバッテリの印加電圧＋Ｂが低下した場合、エンジン始動後、バッテリからスタータへの電圧の供給が停止されると、バッテリの印加電圧＋Ｂの電圧値が低下時における７Ｖから通常時における１２Ｖに復帰する（時刻ｔ４）。これにより、電源モジュール１０７からＧＤＣ１０２に印加される駆動電圧Ｖｃｃ２の電圧値が、０Ｖから５Ｖに増加する。このとき、ＧＤＣ１０２には、電圧値が第１の範囲に属する駆動電圧Ｖｃｃ２、駆動電圧Ｖｃｃ３、駆動電圧Ｖｃｃ４が印加されている。しかしながら、これら駆動電圧が電源オンシーケンスに適合した順序で印加されていないため、ＧＤＣ１０２は、正常に駆動を開始することができず、動作が不安定になる、或いは正常に動作できない。
【００４０】
以上説明したように、従来の表示装置２００では、バッテリから供給される駆動電圧＋Ｂの電圧値が低下して一旦駆動を停止した場合には、ＧＤＣ１０２は、バッテリから供給される駆動電圧＋Ｂが通常の電圧値に復帰しても、正常状態に復帰できなかった。これに対して、第１の実施形態に係る表示装置１００では、バッテリから供給される駆動電圧＋Ｂの電圧値が低下して一旦駆動を停止した場合であっても、ＧＤＣ１０２は、バッテリから供給される駆動電圧＋Ｂが通常の電圧値に復帰すると、正常に駆動を開始できる。
【００４１】
即ち、第１の実施形態に係る表示装置１００は、第１の駆動電圧としての駆動電圧Ｖｃｃ２が印加されて駆動する機能部としてのＧＤＣ１０２と、ＧＤＣ１０２を制御する制御部としてのＣＰＵ１０１と、外部電源としてのバッテリにより印加電圧＋Ｂが印加され、駆動電圧Ｖｃｃ２をＧＤＣ１０２に印加する第１の駆動電圧発生部としての電源モジュール１０７と、を備えている。ＣＰＵ１０１は、電源モジュール１０７からＧＤＣ１０２に印加される駆動電圧Ｖｃｃ２の電圧値が第１の範囲に属するか否かを判定し、駆動電圧Ｖｃｃ２の電圧値が該第１の範囲に属していないと判定した場合には、ＧＤＣ１０２の駆動を初期化する初期化処理を実行する。
第１の実施形態に係る表示装置１００では、電源モジュール１０７からＧＤＣ１０２に印加される駆動電圧Ｖｃｃ２の電圧値が第１の範囲に属していない、とＣＰＵ１０１が判定した場合には、ＧＤＣ１０２の初期化処理が実行される。これにより、ＧＤＣ１０２に印加される駆動電圧Ｖｃｃ２の電圧値が第１の範囲に属していない場合には、ＧＤＣ１０２の駆動が初期化される。
したがって、第１の実施形態に係る表示装置１００によれば、電源モジュール１０７からＧＤＣ１０２に印加される駆動電圧Ｖｃｃ２の電圧値がＧＤＣ１０２を駆動するために要する第１の範囲に属しなくなった場合には、即ちＧＤＣ１０２に供給される電圧値に異常が生じた場合には、ＧＤＣ１０２の駆動を初期化できる。この結果、第１の実施形態に係る表示装置１００によれば、ＧＤＣ１０２に供給される電圧値に異常が生じた場合に、ＧＤＣ１０２を正常状態に復帰させることが可能な制御装置を提供できる。
【００４２】
また、第１の実施形態に係る表示装置１００は、バッテリにより印加電圧＋Ｂが印加され、ＣＰＵ１０１を駆動させるための駆動電圧Ｖｃｃ１をＣＰＵ１０１に印加する第２の駆動電圧発生部としての電源ＩＣ１０４を更に備えている。ＧＤＣ１０２は、第１の範囲に属する電圧値の駆動電圧Ｖｃｃ２が印加されて駆動し、ＣＰＵ１０１は、第２の範囲に属する電圧値の駆動電圧Ｖｃｃ１が印加されて駆動する。第１の範囲に属する駆動電圧Ｖｃｃ２をＧＤＣ１０２に印加するために要する正常な印加電圧＋Ｂ（電圧値が第３の範囲に属する印加電圧＋Ｂ）が電源モジュール１０７に印加されず、且つ、第２の範囲に属する駆動電圧Ｖｃｃ１をＣＰＵ１０１に印加するために要する正常な印加電圧＋Ｂ（電圧値が第４の範囲に属する印加電圧＋Ｂ）が電源ＩＣ１０４に印加される場合、電源ＩＣ１０４から第２の範囲に属する駆動電圧Ｖｃｃ１が印加されたＣＰＵ１０１が、電源モジュール１０７からＧＤＣ１０２に印加される駆動電圧Ｖｃｃ２の電圧値が第１の範囲に属するか否かを判定し、駆動電圧Ｖｃｃ２の電圧値が第１の範囲に属していないと判定した場合には、ＧＤＣ１０２の駆動を初期化する初期化処理を実行する。
第１の実施形態に係る表示装置１００では、第１の範囲に属する駆動電圧Ｖｃｃ２をＧＤＣ１０２に印加するために要する正常な印加電圧＋Ｂ（電圧値が第３の範囲に属する印加電圧＋Ｂ）が電源モジュール１０７に印加されておらず、且つ、第２の範囲に属する駆動電圧Ｖｃｃ１をＣＰＵ１０１に印加するために要する正常な印加電圧＋Ｂ（電圧値が第４の範囲に属する印加電圧＋Ｂ）が電源ＩＣ１０４に印加されている場合において、電源モジュール１０７からＧＤＣ１０２に印加される駆動電圧Ｖｃｃ２の電圧値が第１の範囲に属していない、とＣＰＵ１０１が判定した場合には、ＧＤＣ１０２の初期化処理が実行される。これにより、ＧＤＣ１０２に印加される駆動電圧Ｖｃｃ２の電圧値が第１の範囲に属していない場合には、ＧＤＣ１０２の駆動が初期化される。
したがって、第１の実施形態に係る表示装置１００によれば、電源モジュール１０７からＧＤＣ１０２に印加される駆動電圧Ｖｃｃ２の電圧値がＧＤＣ１０２を駆動するために要する第１の範囲に属しなくなった場合には、即ちＧＤＣ１０２に供給される電圧値に異常が生じた場合には、ＧＤＣ１０２の駆動を初期化できる。この結果、第１の実施形態に係る表示装置１００によれば、ＧＤＣ１０２に供給される電圧値に異常が生じた場合に、ＧＤＣ１０２を正常状態に復帰させることが可能な制御装置を提供できる。
【００４３】
（第２の実施形態）
第２の実施形態に係る表示装置３００について、図５を参照して説明する。
【００４４】
図５は、第２の実施形態に係る表示装置３００のハードウェアの構成例を示したブロック図である。図３に示す第２の実施形態に係る表示装置３００は、判定回路１０８を更に備えている点以外は第１の実施形態に係る表示装置１００と同一の構成を有するので、以下、当該同一の構成については第１の実施形態に係る表示装置１００と同一の符号を付し、各構成についての説明を省略する。
【００４５】
判定回路１０８は、電源モジュール１０７からＧＤＣ１０２に印加される駆動電圧Ｖｃｃ２を検出し、検出した駆動電圧Ｖｃｃ２が第１の範囲に属するか否かを判定し、判定結果をＣＰＵ１０１に出力する。
【００４６】
第２の実施形態に係る表示装置３００では、ＣＰＵ１０１は、判定回路１０８から、駆動電圧Ｖｃｃ２の電圧値が第１の範囲に属しないと判定した場合における判定結果を受け付けた場合には、ＧＤＣ１０２の駆動を初期化する初期化処理を実行する。
【００４７】
そして、第１の実施形態に係る表示装置１００では、図２に示すように、時刻ｔ３においてＧＤＣ１０２に印加される駆動電圧Ｖｃｃ２の電圧値が５Ｖから０Ｖに低下した場合に、ＣＰＵ１０１が、駆動電圧Ｖｃｃ２の電圧値が第１の範囲に属しているか否かを判定して、駆動電圧Ｖｃｃ２の電圧値が第１の範囲に属していないと判定した場合に、ＧＤＣ１０２の駆動を初期化する初期化処理を実行する構成であったのに対して、第２の実施形態に係る表示装置３００では、ＧＤＣ１０２に印加される駆動電圧Ｖｃｃ２の電圧値が５Ｖから０Ｖに低下した場合に、判定回路１０８が、駆動電圧Ｖｃｃ２の電圧値が第１の範囲に属しているか否かを判定して、判定結果をＣＰＵ１０１に出力し、ＣＰＵ１０１が、判定回路１０８から、駆動電圧Ｖｃｃ２の電圧値が第１の範囲に属しないと判定した場合における判定結果を受け付けた場合に、ＧＤＣ１０２の初期化処理を実行する。
【００４８】
本発明の制御装置を含む第２の実施形態に係る表示装置３００は、第１の駆動電圧としての駆動電圧Ｖｃｃ２が印加されて駆動する機能部としてのＧＤＣ１０２と、ＧＤＣ１０２を制御する制御部としてのＣＰＵ１０１と、外部電源としてのバッテリにより印加電圧＋Ｂが印加され、駆動電圧Ｖｃｃ２をＧＤＣ１０２に印加する第１の駆動電圧発生部としての電源モジュール１０７と、電源モジュール１０７からＧＤＣ１０２に印加される駆動電圧Ｖｃｃ２を検出し、検出した駆動電圧Ｖｃｃ２の電圧値が第１の範囲に属するか否かを判定し、判定結果をＣＰＵ１０１に出力する判定回路１０８と、を備えている。ＣＰＵ１０１は、判定回路１０８から、駆動電圧Ｖｃｃ２の電圧値が第１の範囲に属しないと判定した場合における判定結果を受け付けた場合には、ＧＤＣ１０２の駆動を初期化する初期化処理を実行する。
第２の実施形態に係る表示装置３００では、電源モジュール１０７からＧＤＣ１０２に印加される駆動電圧Ｖｃｃ２の電圧値が第１の範囲に属していない、と判定回路１０８が判定した場合には、ＧＤＣ１０２の初期化処理が実行される。これにより、ＧＤＣ１０２に印加される駆動電圧Ｖｃｃ２の電圧値が第１の範囲に属していない場合には、ＧＤＣ１０２の駆動が初期化される。
また、第２の実施形態に係る表示装置３００では、ＣＰＵ１０１は、判定回路１０８から受け付けた判定結果に基づいて初期化処理を実行する。このため、第２の実施形態に係る表示装置３００は、従来の表示装置に判定回路１０８を付加すれば得られる。このため、ＣＰＵ１０１の処理内容を大幅に変更する必要がない。
したがって、第２の実施形態に係る表示装置３００によれば、電源モジュール１０７からＧＤＣ１０２に印加される駆動電圧Ｖｃｃ２の電圧値がＧＤＣ１０２を駆動するために要する第１の範囲に属しなくなった場合には、即ちＧＤＣ１０２に供給される電圧値に異常が生じた場合には、ＧＤＣ１０２の駆動を初期化できる。この結果、第２の実施形態に係る表示装置３００によれば、ＧＤＣ１０２に供給される電圧値に異常が生じた場合に、ＧＤＣ１０２を正常状態に復帰させることが可能な制御装置を提供できる。また、第２の実施形態に係る表示装置３００によれば、従来の表示装置の構成を大幅に変更する必要がない。
【００４９】
（第３の実施形態）
第３の実施形態に係る表示装置４００について、図６を参照して説明する。
【００５０】
図６は、第３の実施形態に係る表示装置４００のハードウェアの構成例を示したブロック図である。図６に示す第３の実施形態に係る表示装置４００は、ＣＰＵ１０１が電源モジュール１０７に印加される印加電圧＋Ｂの電圧値をポートＰ１より受け付ける点以外は第１の実施形態に係る表示装置１００と同一の構成を有するので、以下、当該同一の構成については第１の実施形態に係る表示装置１００と同一の符号を付し、各構成についての説明を省略する。
【００５１】
第３の実施形態に係る表示装置４００では、ＣＰＵ１０１は、バッテリから電源モジュール１０７に印加される印加電圧＋Ｂの電圧値を、ポートＰ１より受け付ける。ＣＰＵ１０１は、ポートＰ１より受け付けた印加電圧＋Ｂに基づいて、バッテリから電源モジュール１０７に印加される印加電圧＋Ｂの電圧値が第３の範囲に属するか否かを判定し、印加電圧＋Ｂの電圧値が第３の範囲に属していないと判定した場合には、ＧＤＣ１０２の駆動を初期化する初期化処理を実行する。
【００５２】
そして、第１の実施形態に係る表示装置１００では、ＣＰＵ１０１が、ＧＤＣ１０２に印加される駆動電圧Ｖｃｃ２の電圧値に基づいて、駆動電圧Ｖｃｃ２の電圧値が第１の範囲に属するか否かを判定し、ＧＤＣ１０２の駆動を初期化する初期化処理を実行する構成であったのに対して、バッテリの印加電圧＋Ｂの電圧値が通常時における１２Ｖから低下時における７Ｖに急激に低下すると、電源モジュール１０７からＧＤＣ１０２に印加される駆動電圧Ｖｃｃ２の電圧値は、第１の範囲に属する電圧値である５Ｖから、第１の範囲に属しない電圧値である０Ｖに低下するため、第３の実施形態に係る表示装置４００では、ＣＰＵ１０１が、バッテリから電源モジュール１０７に印加される印加電圧＋Ｂの電圧値に基づいて、印加電圧＋Ｂの電圧値が第３の範囲に属するか否かを判定し、該印加電圧＋Ｂの電圧値が第３の範囲に属しないと判定した場合には、ＧＤＣ１０２の初期化処理を実行する。
【００５３】
本発明の制御装置を含む第３の実施形態に係る表示装置４００は、第１の駆動電圧としての駆動電圧Ｖｃｃ２が印加されて駆動する機能部としてのＧＤＣ１０２と、ＧＤＣ１０２を制御する制御部としてのＣＰＵ１０１と、外部電源としてのバッテリにより印加電圧＋Ｂが印加され、駆動電圧Ｖｃｃ２をＧＤＣ１０２に印加する第１の駆動電圧発生部としての電源モジュール１０７と、を備えている。そして、ＣＰＵ１０１は、バッテリから電源モジュール１０７に印加される印加電圧＋Ｂの電圧値が、第１の範囲に属する駆動電圧Ｖｃｃ２を電源モジュール１０７がＧＤＣ１０２に印加するために要する正常な範囲である第３の範囲に属するか否かを判定し、印加電圧＋Ｂの電圧値が該第３の範囲に属していないと判定した場合には、ＧＤＣ１０２の駆動を初期化する初期化処理を実行する。
第３の実施形態に係る表示装置４００では、バッテリから電源モジュール１０７に印加される印加電圧＋Ｂの電圧値が第３の範囲に属していない、とＣＰＵ１０１が判定した場合には、ＧＤＣ１０２の初期化処理が実行される。これにより、バッテリから電源モジュール１０７に印加される印加電圧＋Ｂの電圧値が第３の範囲に属していない場合には、ＧＤＣ１０２の駆動が初期化される。
したがって、第３の実施形態に係る表示装置４００によれば、バッテリから電源モジュール１０７に印加される印加電圧＋Ｂの電圧値が電源モジュール１０７を駆動するために要する第３の範囲に属しなくなった場合には、即ち電源モジュール１０７に供給される電圧値に異常が生じた場合には、ＧＤＣ１０２の駆動を初期化できる。この結果、第３の実施形態に係る表示装置４００によっても、ＧＤＣ１０２に供給される電圧値に異常が生じた場合に、ＧＤＣ１０２を正常状態に復帰させることが可能な制御装置を提供できる。
【００５４】
尚、本発明の技術的範囲は、上述した実施形態に限定されるものではない。上述した実施形態は、本発明の技術的範囲内で種々の変形や改良等を伴うことができる。
【００５５】
例えば、上述した実施形態では、情報呈示機能を有する制御装置において、制御部であるＣＰＵ１０１が、情報提示機能を発揮するための機能部であるＧＤＣ１０２の駆動を制御する構成としたが、本発明が対象とする機能部はこれに限定されるものではなく、バッテリ等の外部電源から所定の電圧値の駆動電圧が供給されて動作して、制御部により駆動が制御される機能部であれば、制御装置の他の機能を実現する機能部であっても構わない。
【００５６】
また、上述した実施形態では、駆動電圧Ｖｃｃ２をＧＤＣ１０２に印加する電源モジュール１０７と、駆動電圧Ｖｃｃ１をＣＰＵ１０１に印加する電源ＩＣ１０４と、は同一の外部電源であるバッテリから印加電圧＋Ｂが印加されて駆動する構成としたが、駆動電圧Ｖｃｃ２をＧＤＣ１０２に印加する電源モジュール１０７と、駆動電圧Ｖｃｃ１をＣＰＵ１０１に印加する電源ＩＣ１０４と、がそれぞれ異なる外部電源から電圧が印加されて駆動する構成としてもよい。
【００５７】
また、第３の実施形態に係る表示装置４００では、ＣＰＵ１０１が、印加電圧＋Ｂの電圧値が第３の範囲に属しているか否かを判定して、印加電圧＋Ｂの電圧値が第３の範囲に属していないと判定した場合に、ＧＤＣ１０２を初期化する初期化処理を実行する構成であったが、第２の実施形態に係る表示装置３００と同様に、バッテリから電源モジュール１０７に印加される印加電圧＋Ｂを検出し、検出した印加電圧＋Ｂが第３の範囲に属するか否かを判定し、判定結果をＣＰＵ１０１に出力する判定回路を更に備え、ＣＰＵ１０１が、判定回路１０８から、印加電圧＋Ｂの電圧値が第３の範囲に属しないと判定した場合における判定結果を受け付けた場合に、ＧＤＣ１０２を初期化する初期化処理を実行する構成としてもよい。
【００５８】
また、各実施形態における第１の範囲、第２の範囲、第３の範囲、及び第４の範囲の各上限値及び下限値は一例を示したものであり、本発明の目的を達成し得る範囲内で適宜変更可能であることは云うまでもない。
【符号の説明】
【００５９】
１００  表示装置
１０１  マイクロコンピュータ（ＣＰＵ）（制御部）
１０２  グラフィックディスプレーコントローラ（ＧＤＣ）（機能部）
１０３  液晶表示器
１０４  電源ＩＣ（第２の駆動電圧発生部）
１０５  インタフェース
１０６  インタフェース
１０７  電源モジュール（第１の駆動電圧発生部）
１０８  判定回路
２００  表示装置
３００  表示装置
４００  表示装置
Ｖｃｃ１  駆動電圧（第２の駆動電圧）
Ｖｃｃ２  駆動電圧（第１の駆動電圧）
Ｖｃｃ３  駆動電圧
Ｖｃｃ４  駆動電圧
ＲＳＴ１  リセット信号
ＲＳＴ２  リセット信号
＋Ｂ  印加電圧
【図１】
0006002455.tif 000002
【図２】
0006002455.tif 000003
【図３】
0006002455.tif 000004
【図４】
0006002455.tif 000005
【図５】
0006002455.tif 000006
【図６】
0006002455.tif 000007